(57)【要約】        【課題】エア抜き運転待機時間を短縮するための手段を講じて、エア抜き運転を円滑に行うことのできる技術を提供する。【解決手段】前回のエア抜き運転から所定の時間（例えば７２０時間）経過したかを判定する（ステップＳ１０１）。時間経過した場合には、次にいずれかの端末器が運転中か否かを判定する（ステップＳ１０２）。停止中の場合には低温系統熱動弁Ｖ２、高温系統熱動弁Ｖ１を閉弁し（ステップＳ１０３）、次いで暖房燃焼ファン及び循環ポンプ２９を駆動させる（ステップＳ１０４、Ｓ１０５）。温水の機内循環中は温度センサ２５により温水温度が継続的に検知され、所定の温度Ｔｗ（例えば３０℃）に下がるか判定する（ステップＳ１０６）。Ｔｗ以下になった場合は温水循環運転を終了し（ステップＳ１０７）、エア抜き運転を開始する。  【選択図】図３
2005221097.tif 000002
【特許請求の範囲】
【請求項１】
熱源機と、高温暖房端末器と、低温暖房端末器と、熱源機と各暖房端末器間を配管で結ぶ温水循環系統と、各温水循環系統中に閉止弁と、予め定められた時間間隔で温水循環系統のエア抜き運転を行う手段を備え、かつ、エア抜き運転該当時にいずれかの暖房端末器が稼働しているときは、暖房運転停止後にエア抜き運転を開始する手段を備えた温水式暖房システムであって、
エア抜き運転の開始に先だって、低温暖房端末器系統の閉止弁を閉じて熱源機内の温水循環回路の温水を循環させる手段を備えて成ることを特徴とする温水式暖房システム。
【請求項２】
請求項１において、さらに、前記熱源機の燃焼ファンを稼働させる手段を備えて成ることを特徴とする温水式暖房システム。
【請求項３】
請求項１又は２において、さらに、高温暖房端末器側の温水循環系統の温水を循環させる手段を備えて成ることを特徴とする温水式暖房システム。
【請求項４】
請求項１乃至３において、さらに、風呂追焚循環系統の温水を循環させる手段を備えて成ることを特徴とする温水式暖房システム。
【請求項５】
請求項１乃至４において、さらに、前記熱源機のシスターンに高水位限度まで冷水を補給する手段を備えて成ることを特徴とする温水式暖房システム。
【請求項６】
請求項１乃至５において、さらに、前記熱源機の温水循環回路に温度測定手段を備え、かつ、温度測定手段によりエア抜き運転の開始時期を判定する手段を備えて成ることを特徴とする温水式暖房システム。
【請求項７】
熱源機と、高温暖房端末器と、低温暖房端末器と、熱源機と各暖房端末器間を配管で結ぶ温水循環系統と、各温水循環系統中に閉止弁と、予め定められた時間間隔で温水循環系統のエア抜き運転を行う手段を備え、かつ、エア抜き運転該当時にいずれかの暖房端末器が稼働しているときは、暖房運転停止後にエア抜き運転を開始する手段を備えた温水式暖房システムにおいて、
エア抜き運転の開始に先だって、低温暖房端末器系統の閉止弁を閉じて熱源機内部の温水循環回路の温水を循環させるステップと、
温水循環回路の温水温度を検知するステップと、
温水循環回路の温水温度が所定の温度以下になったときにエア抜き運転を開始するステップと、
を含むことを特徴とする温水式暖房システムのエア抜き運転方法。
【請求項８】
請求項７において、前記熱源機の温水循環回路の温度が所定の温度以下のときにエア抜き運転を開始することを特徴とする温水式暖房システムのエア抜き運転方法。
【請求項９】
請求項７又は８において、さらに、前記熱源機の燃焼ファンを稼働させるステップを含むことを特徴とする温水式暖房システムのエア抜き運転方法。
【請求項１０】
請求項７乃至９において、さらに、高温暖房端末器側の温水循環系統の温水を循環させるステップを含むことを特徴とする温水式暖房システムのエア抜き運転方法。
【請求項１１】
請求項７乃至１０において、さらに、風呂追焚循環系統の温水を循環させるステップを含むことを特徴とする温水式暖房システムのエア抜き運転方法。
【請求項１２】
請求項７乃至１１において、さらに、前記熱源機のシスターンに高水位限度まで冷水を補給するステップを含むことを特徴とする温水式暖房システムのエア抜き運転方法。
【請求項１３】
請求項１乃至６において、さらに、前記高温暖房端末器又は前記低温暖房端末器の運転停止後、所定の時間温水循環のみを継続する制御手段を備えて成ることを特徴とする温水式暖房システム。
【請求項１４】
請求項７乃至１２において、さらに、前記高温暖房端末器又は前記低温暖房端末器の運転停止後、所定の時間、温水循環のみを継続することにより温水温度の低下を促進することを特徴とする温水式暖房システムのエア抜き運転方法。
【発明の詳細な説明】
【技術分野】
【０００１】
本発明は、温水配管により温水循環する温水式暖房システムに係り、特に、温水配管系統のエア抜き運転を効果的に行う温水式暖房システム及びそのエア抜き運転方法に関する。
【背景技術】
【０００２】
温水配管により温水を循環する温水式暖房システムにおいては、種々の原因により配管中に空気が入り込み、時間経過とともに循環経路内に滞留する現象が生じる。その結果、開放箇所である開放式シスターン（膨張タンク）が放熱端末器より低所に設置されている場合、配管内の水が「水落ち」して、シスターンから溢れてしまうという問題がある。これを防止するために、定期的に循環ポンプを駆動させて温水配管内の水を強制的に循環させることにより、配管内に滞留するエアを抜く方法が提案されている（例えば、実開平５−８３６１７号公報）。しかし、この方法では、エア抜き運転と暖房運転が重なる場合には暖房対象でない部屋の放熱端末器に温熱が供給されるという不都合が生じてしまい、特に低温端末器（床暖房）敷設の部屋において問題がある。
【特許文献１】実開平５−８３６１７号公報
【発明の開示】
【発明が解決しようとする課題】
【０００３】
このため、暖房温水温度が低下するまでエア抜き運転を待機することが必要となるが、待機時間が長すぎると、特に冬期等にはエア抜き運転のタイミングを逸するというおそれがある。
【０００４】
本発明は、このような問題を解決するためのものであって、暖房温水温度が低下するまでエア抜き運転を待機するとともに、待機時間を短縮するための手段を講じることにより、エア抜き運転を円滑に行うことのできる技術を提供するものである。
【課題を解決するための手段】
【０００５】
本発明は、以下の内容を要旨とする。すなわち、
（１）熱源機と、高温暖房端末器と、低温暖房端末器と、熱源機と各暖房端末器間を配管で結ぶ温水循環系統と、各温水循環系統中に閉止弁と、予め定められた時間間隔で温水循環系統のエア抜き運転を行う手段を備え、かつ、エア抜き運転該当時にいずれかの暖房端末器が稼働しているときは、暖房運転停止後にエア抜き運転を開始する手段を備えた温水式暖房システムであって、エア抜き運転の開始に先だって、低温暖房端末器系統の閉止弁を閉じて熱源機内の温水循環回路の温水を循環させる手段を備えて成ることを特徴とする温水式暖房システム。
【０００６】
かかる手段の採用により、暖房温水の機内循環による放熱が可能となり、熱源機内及びシスターン内の暖房温水の温度低下を促進することができ、エア抜き運転待機時間を短縮することができる。
【０００７】
エア抜き運転の「開始」には、エア抜き運転中に暖房端末器稼動のため一時的にエア抜き運転を中止した場合の再開も含まれる。
【０００８】
（２）上記（１）において、さらに、前記熱源機の燃焼ファンを稼働させる手段を備えて成ることを特徴とする温水式暖房システム。
【０００９】
機燃焼ファンを稼働させることにより、熱交換器を介しての放熱が促進され、エア抜き運転待機時間の短縮に資するものである。
ここに、「燃焼ファン」とは、暖房用燃焼部のファン及び／又は給湯用燃焼部のファンをいう。
【００１０】
（３）上記（１）又は（２）において、さらに、高温暖房端末器側の温水循環系統の温水を循環させる手段を備えて成ることを特徴とする温水式暖房システム。
【００１１】
さらに、高温暖房端末器側の温水循環系統の温水を循環させることにより、配管及び端末器部での放熱による暖房温水の温度低下をさらに促進することができる。
【００１２】
（４）上記（１）乃至（３）において、さらに、風呂追焚循環系統の水を循環させる手段を備えて成ることを特徴とする温水式暖房システム。
【００１３】
風呂浴槽に貯えられている風呂水を追焚循環系統循環させることにより、熱源機内で暖房温水と熱交換させて暖房温水の温度低下をさらに促進することができる。
【００１４】
（５）上記（１）乃至（４）において、さらに、前記熱源機のシスターンに高水位限度まで冷水を補給する手段を備えて成ることを特徴とする温水式暖房システム。
【００１５】
本発明は、シスターンに冷水を補給して直接的に暖房温水温度を低下させることにより、実現することが可能である。
【００１６】
（６）上記（１）乃至（５）において、さらに、前記熱源機内の温水循環回路に温度測定手段を備え、かつ、温度測定手段によりエア抜き運転の開始時期を判定する手段を備えて成ることを特徴とする温水式暖房システム。
【００１７】
本発明によれば、暖房温水温度を測定して、所定の温度以下に下がった場合にエア抜き運転を開始することができるため、機手段により時期を判定する手段
エア抜き運転時に低温端末器を敷設してある部屋が意図しないにも拘わらず暖房されてしまうことを防止することが可能となる。
【００１８】
（７）熱源機と、高温暖房端末器と、低温暖房端末器と、熱源機と各暖房端末器間を配管で結ぶ温水循環系統と、各温水循環系統中に閉止弁と、予め定められた時間間隔で温水循環系統のエア抜き運転を行う手段を備え、かつ、エア抜き運転該当時にいずれかの暖房端末器が稼働しているときは、暖房運転停止後にエア抜き運転を開始する手段を備えた温水式暖房システムにおいて、エア抜き運転の開始に先だって、低温暖房端末器系統の閉止弁を閉じて熱源機内部の温水循環回路の温水を循環させるステップと、温水循環回路の温水温度を検知するステップと、温水循環回路の温水温度が所定の温度以下になったときにエア抜き運転を開始するステップと、を含むことを特徴とする温水式暖房システムのエア抜き運転方法。
【００１９】
（８）上記（７）において、前記熱源機の温水循環回路の温度が所定の温度以下のときにエア抜き運転を開始することを特徴とする温水式暖房システムのエア抜き運転方法。
【００２０】
（９）上記（７）又は（８）において、さらに、前記熱源機の燃焼ファンを稼働させるステップを含むことを特徴とする温水式暖房システムのエア抜き運転方法。
【００２１】
（１０）上記（７）乃至（９）において、さらに、高温暖房端末器側の温水循環系統の温水を循環させるステップを含むことを特徴とする温水式暖房システムのエア抜き運転方法。
【００２２】
（１１）上記（７）乃至（１０）において、さらに、風呂追焚循環系統の温水を循環させるステップを含むことを特徴とする温水式暖房システムのエア抜き運転方法。
【００２３】
（１２）において、さらに、前記熱源機のシスターンに高水位限度まで冷水を補給するステップを含むことを特徴とする温水式暖房システムのエア抜き運転方法。
（１３）上記（１）乃至（６）において、さらに、前記高温暖房端末器又は前記低温暖房端末器の運転停止後、所定の時間温水循環のみを継続する制御手段を備えて成ることを特徴とする温水式暖房システム。
【００２４】
暖房端末器運転停止後、短時間でも燃焼を止めて暖房端末器に温水を循環する状態を作ることにより、急激にシスターン温度を低下させることができるため、エア抜き運転待機時間に有効である。
（１３）上記（７）乃至（１２）において、さらに、前記高温暖房端末器又は前記低温暖房端末器の運転停止後、所定の時間、温水循環のみを継続することにより温水温度の低下を促進することを特徴とする温水式暖房システムのエア抜き運転方法。
【発明の効果】
【００２５】
定期的なエア抜き運転時に、意図しない温水循環により低温端末器の暖まりにより使用者に不快感を与えることなくシステムを稼働させることが可能となるとともに、エア抜き運転待機時間を短縮することができる。
【発明を実施するための最良の形態】
【００２６】
以下、本発明に係る温水式暖房システムの実施形態について、図１乃至７を参照してさらに詳細に説明する。なお、重複を避けるため、各図において同一構成には同一符号を用いて示している。なお、本発明の範囲は特許請求の範囲記載のものであって、以下の実施形態に限定されないことはいうまでもない。
【００２７】
（第一の実施形態）
本実施形態は、定期的エア抜き運転が暖房端末器の稼働と重複したときに、低温暖房端末器系統の閉止弁を閉じて熱源機内部の温水循環回路の温水を循環させて、温水温度が低下した後にエア抜き運転を開始する温水式暖房システムに関するものである。
【００２８】
図１は、本発明の第一の実施形態に係る温水式暖房システム１の全体構成を示すものである。同図において、温水式暖房システム１は、給湯暖房機（熱源機）２、低温放熱端末器である床暖房パネル３、浴室４の天井部に設置される高温放熱端末器である浴室乾燥暖房機４、浴室４に設置される浴槽６を備えている。
【００２９】
温水式暖房システム１の温水循環系統は以下のように構成されている。往側系統は高温系統と低温系統に分かれている。すなわち、浴室乾燥暖房機４、は高温系統である往側配管Ｈ１で、床暖房パネル３は低温系統である往側配管Ｈ３で、それぞれ熱源機２と接続している。また、戻側系統は、集合配管部と分岐配管部に分かれている。すなわち、温水は床暖房パネル３、浴室乾燥暖房機４から分岐配管部である戻側配管Ｈ２又はＨ４を経て合流部Ｐ１で合流し、集合配管Ｈ5を経由して熱源機２に戻る。往側配管Ｈ１の浴室乾燥暖房機４近傍には閉止弁である熱動弁Ｖ１が設けられている。
【００３０】
熱源機２と浴槽６とは追焚往側配管Ｂ、追焚戻側配管Ｂ２により接続されており、熱源機２の自動風呂機能に基づいて追焚循環又は注湯が行われるよう構成されている。さらに、熱源機２の給湯ラインは、水道供給配管Ｗ１、給湯配管Ｗ２により構成されている。給湯配管Ｗ２の末端には給湯栓等（図示せず）が接続されている。
【００３１】
図２は熱源機２内部の詳細構成を示す図である。熱源機２は、筐体２ａ内部に開放型シスターン２３，給湯用燃焼部２１、暖房用燃焼部２２、液液熱交換器である追焚用熱交換器２４を備えている。給湯用燃焼部２１はバーナ２１ｂ、燃焼用ファン２１ｃ、熱交換部２１ａ、燃焼室（図示せず）、排気部（図示せず）を主要構成とし、これらが一体化されている。また、暖房用燃焼部２２はバーナ２２ｂ、燃焼用ファン２２ｃ、熱交換部２２ａ、燃焼室（図示せず）、排気部（図示せず）を主要構成とし、これらが一体化されている。また、同図には示されていないが、熱源機２は、給湯、暖房、自動風呂制御を行う制御部を内蔵している。
【００３２】
熱源機２の暖房系統は以下の通りに構成されている。高温系統往側は、シスターン２３内の貯水が循環ポンプ２９により配管Ｈ７を経由して暖房用燃焼部２２に送られ、さらに分岐部Ｐ３、暖房往側配管Ｈ１を経由して浴室乾燥暖房機４に送られる。低温系統往側については、シスターン２３内の温水が循環ポンプ２９により分岐部Ｐ２、配管Ｈ３を経由して床暖房パネル３に送られる。戻側系統は、上述したように床暖房パネル３、浴室乾燥暖房機４から分岐配管部である戻側配管Ｈ２、Ｈ４を経て合流部Ｐ１において集合配管Ｈ５に導かれ、シスターン２３に戻される。
【００３３】
次に、風呂追焚系統は一次側と二次側の２つの回路により構成されている。一次側回路は、シスターン２３→循環ポンプ２９→分岐部Ｐ２→配管Ｈ７→暖房用燃焼部２２→分岐Ｐ３→追焚用熱交換器２４→配管Ｈ８を経てシスターン２３に戻る回路により構成される。二次側回路は、往側は熱交換器２４→循環ポンプ２８→追焚往側配管Ｂ１を経て浴槽（図示せず）に供給される。戻側は、浴槽から追焚戻側配管Ｂ２を経て循環ポンプ２８→熱交換器２４に戻る回路により構成される。二次側回路の追焚戻側配管Ｂ２の分岐Ｐ７近傍には水位センサ２７が設けられており、浴槽水抜きの際に浴槽６に張られた湯の水位を水位センサ２７により検知可能に構成されている。
【００３４】
次に、給湯配管系統は以下の通り構成されている。水道供給配管Ｗ１から供給される水道水は給湯用燃焼部２１で高温水となり、分岐Ｐ８から給湯配管Ｗ２を経由してシャワー等の給湯需要に供される。風呂湯張り時は電磁弁Ｖ３が開となり、給湯配管Ｗ３、追焚戻側配管Ｂ２を経由して浴槽４に注湯される。なお、配管Ｂ２を経由して戻る風呂の湯は、逆止弁Ｖ４により給湯配管Ｗ３側に逆流しないように構成されている。
【００３５】
さらに、シスターン２３内部には、図示はしないが低水位及び高水位センサが設置されており、水位が低水位レベル以下に下がったときは、図１の電磁弁Ｖ５を開弁して配管Ｗ４を経由して冷水（水道水）を高水位レベルになるまで補給するように構成されている。
【００３６】
温水式暖房システム１は以上のように構成されており、次に図３をも参照してエア抜き運転に先立ち行われる暖房温水冷却の制御フローについて説明する。熱源機２の制御部は、前回のエア抜き運転から所定の時間（例えば７２０時間）経過したかを判定する（ステップＳ１０１）。経過していない場合には、さらに時間カウントを継続する（Ｓ１０１においてＮＯ）。時間経過した場合には、次にいずれかの端末器が運転中か否かを判定する（ステップＳ１０２）。運転中の場合には、さらに運転が停止するまで待機する（Ｓ１０２においてＹＥＳ）。停止中の場合には低温系統熱動弁Ｖ２、高温系統熱動弁Ｖ１を閉弁する（ステップＳ１０３）。次いで暖房燃焼ファン及び循環ポンプ２９を駆動させる（ステップＳ１０４、Ｓ１０５）。これに伴い、暖房温水は図４の太線経路で示すように熱源機内回路を循環し、配管を介しての放熱が行われる。この場合、燃焼用ファン２２ｃのみを稼働させ、暖房用燃焼部２２での燃焼は行わない。このため、温水の冷却がより促進される。温水の機内循環中は温度センサ２５により温水温度が継続的に検知され、所定の温度Ｔｗ（例えば３０℃）に下がるか判定する（ステップＳ１０６）。Ｔｗ以下になった場合は温水循環運転を終了する（ステップＳ１０７）。次いで、低温系統熱動弁Ｖ２、高温系統熱動弁Ｖ１を閉弁し、その後、エア抜き運転を開始する（ステップＳ１０７）。
【００３７】
なお、本実施形態では高温系統、低温系統とも端末器一台のみの例を示しているが、これに限らず複数台設置とすることもできる。
【００３８】
（第二の実施形態）
次に、本発明の他の実施形態について図５をも参照して説明する。本実施形態の構成は第一の実施形態における温水式暖房システム１と同一であるので説明を省略する。本実施形態が上述の実施形態と異なる点は、上述の実施形態では温水冷却循環運転に際して高温系統熱動弁Ｖ１を閉弁するのに対して、本実施形態ではこれを開弁することである。
【００３９】
図５において、熱動弁Ｖ１を開弁することにより、暖房温水は上述の実施形態における機内循環に加えて高温系統往側配管Ｈ１→浴室乾燥暖房機４→戻側配管Ｈ２を経て熱源機２に戻る循環経路が加わることになる（図５の太線経路）。これにより高温系統配管からの放熱が加わり、温水温度低下がさらに促進される。この場合、さらに浴室乾燥暖房機４の循環ファンの稼働制御を加えることも可能であり、これにより放熱はさらに促進されることになる。  なお、温水冷却循環運転中における温水温度監視及びエア抜き運転の開始フローについては、上述の実施形態と同一であるので説明を省略する。
【００４０】
（第三の実施形態）
さらに本発明の他の実施形態について図６、７をも参照して説明する。本実施形態の構成についても、温水式暖房システム１と同一であるので重複説明を省略する。本実施形態が上述の各実施形態と異なる点は、本実施形態では浴槽６に冷水（風呂残り湯）が貯えられている場合に、追焚系統の風呂水循環を行うことにより、暖房系統温水の冷却をさらに促進させることである。図７において、本実施形態では、循環ポンプ２９の駆動による追焚一次側系統の温水循環と、追焚循環ポンプ２８を駆動させることによる追焚二次側系統の循環が行われる（図７の太線経路）。これにより追焚系統の風呂水と暖房系統の温水との熱交換が行われ、暖房温水冷却が促進される。
【００４１】
図６は、本実施形態における暖房系統温水冷却制御のフローを示すものである。同図において、ステップＳ２０１からＳ２０５までは第一の実施形態におけるステップＳ１０１からＳ１０５と同一であるので説明を省略する。
【００４２】
次に浴槽６に水が張られているか否かを判定する（ステップＳ２０６）。判定は追焚戻側配管Ｂ２経路中に設けられている水位センサ２７により行われる。水が張られていない場合（ステップＳ２０６においてＮＯ）には、ステップＳ２０９にスキップする。水が張られている場合（ステップＳ２０６においてＹＥＳ）には、追焚循環ポンプ２８を駆動させ二次側回路の循環を行う（ステップＳ２０７）。
【００４３】
次に風呂水温度が所定の温度Ｔｂ（例えば３０℃）以下かどうかを判定する（ステップＳ２０８）。判定は追焚戻側配管Ｂ１経路中に設けられている温度センサＴ３により行われる。温度がＴｂ以下の場合（ステップＳ２０８においてＹＥＳ）には、二次側回路の循環を継続して行う。これにより熱源機２内の熱交換器２４において追焚系統の風呂水と暖房系統の温水との熱交換が行われ、暖房温水冷却が促進される。温度Ｔｂを超えている場合（ステップＳ２０８においてＮＯ）には、暖房系統温水の冷却に有効でないため熱交換は行わずステップＳ２０９にスキップする（この場合、追焚循環ポンプを停止する）。
【００４４】
追焚系統循環中は継続的に暖房系統の温水温度を温度センサＴ１により測定し（ステップＳ２０９）、所定の温度Ｔｗ（例えば３０℃）以下に低下したと判断した場合にはエア抜き運転を開始する（ステップＳ２１０）。なお、運転開始に先立ち、追焚循環ポンプ２８を稼働停止する。
【００４５】
（第四の実施形態）
さらに本発明の他の実施形態について説明する。本実施形態において、システム構成及び暖房温水循環については温水式暖房システム１と同一である。本実施形態が第一の実施形態と異なる点は、本実施形態では、シスターン２３に冷水を補給する点である。
【００４６】
本実施形態において、暖房系統温水冷却は以下の通り行われる。図１において、暖房温水循環中にシスターン２３内の水位を検知し、水位が高水位限度まで達していない場合には電磁弁Ｖ５を開弁して、高水位限度に達するまで配管Ｗ４を介して冷水（水道水）を補給する。これによりシスターン２３内の温水温度を直接的に低下させることができるため、暖房温水冷却をさらに促進することができる。
【００４７】
なお、上記各実施形態において暖房温水循環はそれぞれの系統を単独に行った例を示したが、これに限らずこれらを複合して行うことも可能である。これにより放熱がより促進され、エア抜き運転待機時間の短縮に効果的となる。
【００４８】
また、これらに加えて、暖房端末器の運転停止後に短時間（例えば２〜３分間）暖房温水循環のみを継続することにより、シスターン内の温水温度の低下をさらに促進することができる。
【産業上の利用可能性】
【００４９】
本発明は、温水配管のエア抜き運転制御を行う温水式暖房システムに広く利用可能である。
【図面の簡単な説明】
【００５０】
【図１】本発明の第一の実施形態に係る温水式暖房システム１を示す図である。
【図２】熱源機２内部構成の詳細を示す図である。
【図３】第一の実施形態において、エア抜き運転前に行われる暖房温水冷却の制御フローを示す図である。
【図４】第一の実施形態における暖房温水冷却時の温水循環経路を示す図である。
【図５】第二の実施形態における暖房温水冷却時の温水循環経路を示す図である。
【図６】第三の実施形態における暖房系統温水冷却制御のフローを示す図である。
【図７】第三の実施形態における暖房温水冷却時の温水循環経路を示す図である。
【符号の説明】
【００５１】
１     温水式暖房システム
２     熱源機
３     床暖房パネル
４     浴室乾燥暖房機
２１   給湯用燃焼部
２２   暖房用燃焼部
２３   シスターン
２８   追焚循環ポンプ
２９   循環ポンプ
Ｂ１   追焚往側配管
Ｂ１   追焚戻側配管
Ｂ２   追焚戻側配管
Ｖ１   高温系統熱動弁
Ｖ２   低温系統熱動弁
Ｖ４   逆止弁
【図１】
2005221097.tif 000003
【図２】
2005221097.tif 000004
【図３】
2005221097.tif 000005
【図４】
2005221097.tif 000006
【図５】
2005221097.tif 000007
【図６】
2005221097.tif 000008
【図７】
2005221097.tif 000009